(57)【特許請求の範囲】
【請求項１】
丸セパレータの両端部に形成された雄ネジ部にそれぞれ螺合され、一対の型枠を所定の間隔だけ離間させて保持するための型枠保持具であって、
フランジ付きジョイントナットと、フランジ付き軸足と、フランジ付きスリーブとを備え、
フランジ付きジョイントナットは、その両端部に丸セパレータの雄ネジ部とフランジ付き軸足の雄ネジ部が螺合する雌ネジ部が設けられ、
フランジ付き軸足は、その両端部に雄ネジ部が形成された軸部と、フランジ付きジョイントナットの軸足側端部に当接する軸足フランジ部を有し、
フランジ付きスリーブは、フランジ付き軸足が挿入されるスリーブ部と、そのスリーブ部の下端部側に型枠に当接して型枠を支持する円盤状フランジ部を有すると共に、その円盤状フランジ部の裏側にフランジ付き軸足の軸足フランジ部が嵌る凹部と、その凹部の外周にフランジ付きジョイントナットの型枠側端部に当接する円環状凸部とを有し、
フランジ付きジョイントナットの外側面の一部または全部が多角形に形成されていると共に、フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの外側面より外側に飛び出さないような大きさに形成したことを特徴とする型枠保持具。
【請求項２】
請求項１記載の型枠保持具において、
フランジ付きジョイントナットは、
内周に雌ネジ部が形成され、その外側面が多角形に形成された多角形状ナット部と、その多角形状ナット部の型枠側端部に設けられた円盤状の円盤状型枠側フランジ部とを有することを特徴とする型枠保持具。
【請求項３】
請求項１記載の型枠保持具において、
フランジ付きジョイントナットは、
内周に雌ネジ部が形成され、その外側面が円筒状の円筒状ナット部と、その円筒状ナット部の型枠側端部に設けられ、その外側面が多角形に形成されていた多角形状型枠側フランジ部とを有することを特徴とする型枠保持具。
【請求項４】
請求項２または請求項３に記載の型枠保持具において、
フランジ付きスリーブの円盤状フランジ部の裏側に設けられた円環状凸部の外径は、
フランジ付きジョイントナットの型枠側フランジ部の幅また外径以下であり、
フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの円盤状型枠側フランジ部または多角形状型枠側フランジ部の外側面より外側に飛び出さないようにしたことを特徴とする型枠保持具。
【請求項５】
請求項１記載の型枠保持具において、
フランジ付きジョイントナットは、
内周に雌ネジ部が形成され、その外側面が多角形に形成された多角形状長尺ナット部から構成されていることを特徴とする型枠保持具。
【請求項６】
請求項５に記載の型枠保持具において、        
フランジ付きスリーブの円盤状フランジ部の裏側に設けられた円環状凸部の外径は、
フランジ付きジョイントナットの円筒状ナット部の幅以下であり、
フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの多角形状長尺ナットの外側面より外側に飛び出さないようにしたことを特徴とする型枠保持具。
【請求項７】
請求項１〜請求項６のいずれか一の請求項に記載の型枠保持具において、
フランジ付きスリーブのスリーブ部は、
先端部の内径がフランジ付き軸足の軸部の外径および円盤状フランジ部との連結部分である基部の内径よりも小であることを特徴とする型枠保持具。
【発明の詳細な説明】
【技術分野】
【０００１】
本発明は、コンクリートの打設空間を形成する２つの型枠板を、相互に所定の間隔に維持して固定保持するための型枠保持具に関する。
【背景技術】
【０００２】
一般に、コンクリート壁体を構築するにあたっては、２つの型枠板を丸セパレータで相互に所定の間隔に固定保持してコンクリートの打設空間を形成し、当該コンクリート打設空間内に生コンクリートを打設するようにしている。このようなコンクリート壁体の構築するための型枠保持具として、例えば、登録実用新案第３１６２８９８号公報にて開示されている技術が知られている。
【０００３】
この公報に記載された型枠保持具は、丸セパレータの軸端部に形成された雄ねじ部に螺合するフランジ付きジョイントナットと、型枠板に形成された挿通孔に挿通されてフランジ付きジョイントナットの軸足側雌ネジ部に螺合するフランジ付き軸足と、そのフランジ付き軸足のフランジ部により止まって型枠板を支持するフランジ付きスリーブ（この従来技術ではＰガードと呼んでいる、）等から構成されている。
【先行技術文献】
【特許文献】
【０００４】
【特許文献１】登録実用新案第３１６２８９８号公報
【発明の概要】
【発明が解決しようとする課題】
【０００５】
しかし、特許文献１に記載の型枠保持具では、フランジ付きジョイントナットは円筒状に構成されているため、コンクリートの養生後に型枠を取り外し、さらにその後、フランジ付き軸足やフランジ付きスリーブと共に取り外す際、フランジ付き軸足のセパ側端部に螺合しているフランジ付きジョイントナットも供回りしてしまい、フランジ付きジョイントナットとコンクリートとの間に隙間が形成されてコンクリート内部に雨水が浸入したり、さらには軸足等と共にフランジ付きジョイントナットが丸セパレータから抜けてしまうという問題がある。
【０００６】
また、フランジ付きジョイントナットの型枠側端部とフランジ付きスリーブとの当接（接触）面積が小さいため、型枠保持具により型枠板を支持して、電動インパクトレンチ等の電動工具や型枠緊結工具等により型枠保持具を締め過ぎた場合、フランジ付きジョイントナットやフランジ付きスリーブが型枠側に強力に引っ張られ軸足やフランジ付きスリーブのスリーブ部を通している型枠板の軸孔周縁を押し潰したり、軸孔を押し広げる等して、フランジ付きジョイントナットの型枠側端部やフランジ付きスリーブの円盤状フランジ部が型枠板にめり込む場合がある。
【０００７】
特に、最近の電動インパクトレンチ等の電動工具は強力で、取り外し時にフランジ付きジョイントナットやフランジ付きスリーブが型枠側に強力に引っ張られると共に、型枠板を繰り返し何度も使用するため、型枠板の軸孔周囲が徐々に凹んでいき、コンクリートの養生後にフランジ付きジョイントナットの型枠側端部やフランジ付きスリーブの円盤状フランジ部がコンクリート壁面から飛び出す場合があった。
【０００８】
コンクリートの養生後にフランジ付きジョイントナットの型枠側端部やフランジ付きスリーブの円盤状フランジ部がコンクリート壁面から飛び出していると、コンクリート壁面の仕上がりに悪影響を与えると共に、キャップによりフランジ付きジョイントナットの型枠側端部に栓をした際に隙間が空いてしまい、雨水が浸入し易いという問題もある。
【０００９】
そこで、本発明は、このような問題点に着目してなされたもので、コンクリートの養生後に軸足と共にフランジ付きスリーブを取り外す際、軸足のセパ側端部に螺合しているフランジ付きジョイントナットの供回りを防止できると共に、型枠組立て時に電動工具や型枠緊結工具等により型枠保持具を締め過ぎた場合でも、コンクリート養生後におけるコンクリート壁面からのフランジ付きジョイントナットとフランジ付きスリーブの円盤状フランジ部の飛び出しを防止できる型枠保持具を提供することを目的とする。
【課題を解決するための手段】
【００１０】
上記目的を達成するため、本発明に係る型枠保持具は、丸セパレータの両端部に形成された雄ネジ部にそれぞれ螺合され、一対の型枠を所定の間隔だけ離間させて保持するための型枠保持具であって、フランジ付きジョイントナットと、フランジ付き軸足と、フランジ付きスリーブとを備え、フランジ付きジョイントナットは、その両端部に丸セパレータの雄ネジ部とフランジ付き軸足の雄ネジ部が螺合する雌ネジ部が設けられ、フランジ付き軸足は、その両端部に雄ネジ部が形成された軸部と、フランジ付きジョイントナットの軸足側端部に当接する軸足フランジ部を有し、フランジ付きスリーブは、フランジ付き軸足が挿入されるスリーブ部と、そのスリーブ部の下端部側に型枠に当接して型枠を支持する円盤状フランジ部を有すると共に、その円盤状フランジ部の裏側にフランジ付き軸足の軸足フランジ部が嵌る凹部と、その凹部の外周にフランジ付きジョイントナットの型枠側端部に当接する円環状凸部とを有し、フランジ付きジョイントナットの外側面の一部または全部が多角形に形成されていると共に、フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの外側面より外側に飛び出さないような大きさに形成したことを特徴とする。
ここで、フランジ付きジョイントナットは、内周に雌ネジ部が形成され、その外側面が多角形に形成された多角形状ナット部と、その多角形状ナット部の型枠側端部に設けられた円盤状の円盤状型枠側フランジ部とを有すると良い。
また、フランジ付きジョイントナットは、内周に雌ネジ部が形成され、その外側面が円筒状の円筒状ナット部と、その円筒状ナット部の型枠側端部に設けられ、その外側面が多角形に形成されていた多角形状型枠側フランジ部とを有しても良い。
また、フランジ付きスリーブの円盤状フランジ部の裏側に設けられた円環状凸部の外径は、フランジ付きジョイントナットの型枠側フランジ部の幅また外径以下であり、フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの円盤状型枠側フランジ部または多角形状型枠側フランジ部の外側面より外側に飛び出さないようにするとさらに良い。
また、フランジ付きジョイントナットは、内周に雌ネジ部が形成され、その外側面が多角形に形成された多角形状長尺ナット部から構成しても良い。
また、フランジ付きスリーブの円盤状フランジ部の裏側に設けられた円環状凸部の外径は、フランジ付きジョイントナットの円筒状ナット部の幅以下であり、フランジ付き軸足を介してフランジ付きスリーブとフランジ付きジョイントナットとを組んだ場合に、フランジ付きスリーブの円盤状フランジ部の裏側に設けられた円環状凸部の外側面は、フランジ付きジョイントナットの多角形状長尺ナットの外側面より外側に飛び出さないようにするとさらに良い。
また、フランジ付きスリーブのスリーブ部は、先端部の内径がフランジ付き軸足の軸部の外径および円盤状フランジ部との連結部分である基部の内径よりも小であるとさらに良い。
【発明の効果】
【００１１】
本発明に係る型枠保持具は、フランジ付きジョイントナットと、フランジ付き軸足と、フランジ付きスリーブとを備え、フランジ付きスリーブは、フランジ付き軸足が挿入されるスリーブ部と、そのスリーブ部の下端部側に型枠に当接して型枠を支持する円盤状フランジ部を有すると共に、その円盤状フランジ部の裏側にフランジ付き軸足の軸足フランジ部が嵌る凹部と、その凹部の外周にフランジ付きジョイントナットの型枠側端部に当接する円環状凸部とを有し、フランジ付きジョイントナットの外側面の一部または全部が多角形に形成されているため、コンクリートの養生後に軸足と共にフランジ付きスリーブを取り外す際、軸足のセパ側端部に螺合しているフランジ付きジョイントナットの供回りを防止できる。
また、フランジ付き軸足を介してフランジ付きスリーブとフランジ付きジョイントナットとを組んだ場合に、フランジ付きスリーブの円盤状フランジ部裏側の円環状凸部の外側面は、フランジ付きジョイントナットの外側面より外側に飛び出さないような大きさに形成したため、型枠組立て時に電動工具や型枠緊結工具等により型枠保持具を締め過ぎた場合でも、コンクリート養生後におけるコンクリート壁面からのフランジ付きジョイントナットとフランジ付きスリーブの円盤状フランジ部の飛び出しを防止できる。
その結果、コンクリート養生後におけるコンクリート壁面の仕上がりに悪影響を与えることを防止できると共に、キャップによりフランジ付きジョイントナットの型枠側端部に栓をした際に隙間が空き難くなり、雨水の浸入を防止できる。さらには、フランジ付きスリーブの円盤状フランジ部裏面側における円環状凸部の外側面がフランジ付きジョイントナットの外側面より外側に飛び出さないため、フランジ付きジョイントナットの型枠側フランジ部における露出部分はほぼ平らになる。そのため、正面視ほぼＴ字形状のキャップで済むことになり、キャップの構造が単純になり、キャップの製造コストも低減できる。
また、フランジ付きスリーブのスリーブ部は、先端部の内径がフランジ付き軸足の軸部の外径および円盤状フランジ部との連結部分である基部の内径よりも小であるため、フランジ付きスリーブのスリーブ部をその基部側からフランジ付き軸足に簡単に通すことができると共に、フランジ付きスリーブが勝手に脱落したり、グラつくことを極力防止できる。
【図面の簡単な説明】
【００１２】
【図１】本発明に係る実施形態１の型枠保持具の分解斜視図である。
【図２】（ａ），（ｂ）それぞれ実施形態１の型枠保持具の断面図、底面図である。
【図３】（ａ），（ｂ）それぞれ実施形態１の型枠保持具を構成するフランジ付きスリーブの斜視図、断面図である。
【図４】（ａ）〜（ｄ）それぞれ実施形態１の型枠保持具を使用してコンクリートを養生させた後、キャップをするまでの手順を示す分解斜視図である。
【図５】本発明に係る実施形態２の型枠保持具を構成するフランジ付きスリーブの斜視図である。
【図６】（ａ），（ｂ）それぞれ実施形態２の型枠保持具の断面図、底面図である。
【図７】本発明に係る実施形態３の型枠保持具を構成するフランジ付きスリーブの斜視図である。
【図８】（ａ），（ｂ）それぞれ実施形態３の型枠保持具の断面図、底面図である。
【発明を実施するための形態】
【００１３】
次に、本発明にかかる実施形態１〜３の型枠保持具１について説明する。なお、実施形態１〜３の型枠保持具１は、あくまで本発明に係る型枠保持具の一例であり、本発明の技術的思想の範囲内において適宜変更可能である。
【００１４】
本発明に係る実施形態１の型枠保持具１は、後述する図４に示すように１対の型枠保持具１を丸セパレータ２の両端部に取り付け、各型枠保持具１にそれぞれ型枠板３を保持させ１対の型枠板３を所定の間隔に固定し、コンクリート打設空間を形成するのもので、フランジ付き軸足１１と、フランジ付きジョイントナット１２と、フランジ付きスリーブ１３とから構成される。なお、図４では、１対の型枠保持具１のうち片方の型枠保持具１のみ示している。
【００１５】
フランジ付き軸足１１は、後端部および先端部の外周にそれぞれ雄ネジ部１１ａ１，１１ａ２が形成された軸部１１ａを有しており、図４に示すように、軸部１１ａの後端部は型枠２間に挿入される一方、先端部は型枠２外に突出して当該先端部に電動工具や、フォームタイ（登録商標）等と呼ばれる型枠緊結工具５で締付ける。
【００１６】
また、図１等に示すように軸部１１ａにおいて雄ネジ部１１ａ１，１１ａ２が形成されていない中間部には、その中間部から垂直に立設した軸足フランジ部１１ｂが設けられている。なお、軸部１１ａの外径はＲ１、軸足フランジ部１１ｂの外径はＲ３とする。
【００１７】
フランジ付きジョイントナット１２は、フランジ付き軸足１１の軸部１１ａの外径Ｒ１より径の大きい幅Ｒ２を有する外側面が六角形で筒状の六角形状ナット部１２１と、その六角形状ナット部１２１の型枠側端部に設けられた円盤状型枠側フランジ部１２２とから構成される。
【００１８】
六角形状ナット部１２１の内周には、後述する丸セパレータ２の雄ネジ部が螺合するセパ側雌ネジ部１２１ａと、フランジ付き軸足１１の雄ネジ部１１ａ１が螺合する軸足側雌ネジ部１２１ｂが形成されている。なお、ここでは、セパ側雌ネジ部１２１ａと軸足側雌ネジ部１２１ｂとは同じ径で連続している。
【００１９】
フランジ付きスリーブ１３は、例えば、ガラス素材を含む合成樹脂製からなるもので、フランジ付き軸足１１を挿通させる内径を有する所定長のスリーブ部１３１と、そのスリーブ部１３１の下端部側に型枠板３に当接して型枠板３を支持する円盤状の円盤状フランジ部１３２を有する。
【００２０】
フランジ付きスリーブ１３の円盤状フランジ部１３２の裏側には、図２（ａ）や図３（ａ），（ｂ）等に示すように、フランジ付き軸足１１の軸足フランジ部１１ｂが嵌る凹部１３２ａと、その凹部１３２ａの外周に円環状に突出して、フランジ付きジョイントナット１２の型枠側端部に設けられた円盤状型枠側フランジ部１２２に当接する円環状凸部１３２ｂとを有する。ここで、図４（ｂ）に示すように、円環状凸部１３２ｂの外径をＲ４、フランジ付きジョイントナット１２の円盤状型枠側フランジ部１２２の外径をＲ５とする。
【００２１】
なお、後述する図４に示すようにコンクリートの養生後に型枠板３やフランジ付き軸足１１と共にフランジ付きスリーブ１３を取り外した際、フランジ付きジョイントナット１２の円盤状型枠側フランジ部１２２表面側における円環状凸部１３２ｂ取り外し後の露出部分を塞ぐキャップ６の円盤状の蓋部分の外径は、円環状凸部１３２ｂの外径Ｒ３と同じ外径としている。
【００２２】
また、フランジ付きスリーブ１３のスリーブ部１３１は、先端部の内径Ｒ６がフランジ付き軸足１１の軸部１１ａの外径Ｒ１、および円盤状フランジ部１３２との連結部分である基部の内径Ｒ７よりも小にして、基部から先端部に向かうほど徐々に内径が小さくなるように構成している。
【００２３】
次に、上述のように構成された型枠保持具１を使用してコンクリート４を養生させた後、キャップ６をするまでの手順について説明する。
【００２４】
まず、図４（ａ）では片側のみしか図示していないが、１対の型枠保持具１を丸セパレータ２の両端部に取り付けそれぞれ型枠板３を保持して１対の型枠板３を所定の間隔に固定し、１対の型枠板３で挟まれたコンクリート打設空間にコンクリート４を流し込む。
【００２５】
その後、図４（ａ）に示すような状態で所定期間経過してコンクリート４を養生させた後、型枠緊結工具５を取り外すと共に、型枠板３を取外した後、さらに、電動インパクトレンチ等を使用して、図４（ｂ）に示すようにフランジ付き軸足１１と共にフランジ付きスリーブ１３を引き抜く。
【００２６】
その際、フランジ付きジョイントナット１２の一部である六角形状ナット部１２１が六角形に形成されているため、六角形状ナット部１２１の各側面が硬化したコンクリート４に当るため、フランジ付き軸足１１に螺合しているフランジ付きジョイントナット１２の供回りを防止できる。
【００２７】
また、図２（ｂ）に示すようにフランジ付きスリーブ１３の円盤状フランジ部１３２裏面側における円環状凸部１３２ｂの外径Ｒ４は、フランジ付きジョイントナット１２の円盤状型枠側フランジ部１２２の外径Ｒ５以下にしているため、フランジ付き軸足１１を介してフランジ付きスリーブ１３とフランジ付きジョイントナット１２とを組んだ場合に、フランジ付きスリーブ１３の円盤状フランジ部１３２裏側の円環状凸部１３２ｂの外側面は、フランジ付きジョイントナット１２の円盤状型枠側フランジ部１２２の外側面より外側に飛び出さない。
【００２８】
そのため、型枠組立て時に電動工具や型枠緊結工具５等によりこの型枠保持具１を締め過ぎた場合、フランジ付きジョイントナット１２の円盤状型枠側フランジ部１２２がフランジ付きスリーブ１３の円盤状フランジ部１３２を押し潰すことはあっても、フランジ付きジョイントナット１２の円盤状型枠側フランジ部１２２がフランジ付きスリーブ１３の円盤状フランジ部１３２に食い込んで変形させることがなくなり、コンクリート養生後におけるコンクリート壁面からのフランジ付きジョイントナット１２とフランジ付きスリーブ１３の円盤状フランジ部１３２の飛び出しを防止できる。
【００２９】
これにより、コンクリート養生後におけるコンクリート壁面の仕上がりに悪影響を与えることを防止できると共に、後述するようにキャップ６によりフランジ付きジョイントナット１２の型枠側端部に栓をした際に隙間が空き難くなり、雨水の浸入を防止できる。
【００３０】
また、フランジ付き軸足１１を介してフランジ付きスリーブ１３とを硬化したコンクリート４の壁面から取外すと、図４（ｂ）や図４（ｃ）に示すように、硬化したコンクリート４の表面には、フランジ付きスリーブ１３の円環状凸部１３２ｂとおよびフランジ付き軸足１１の軸足フランジ部１１ｂが抜けた後に窪みが形成され、フランジ付きスリーブ１３の円盤状フランジ部１３２裏面側における円環状凸部１３２ｂ取り外し後の表面が露出する。
【００３１】
そこで、作業者は、図４（ｃ）および（ｄ）に示すように、フランジ付きジョイントナット１２の円盤状型枠側フランジ部１２２表面側における円環状凸部１３２ｂ取り外し後の露出部分を、キャップ６により栓をする。
【００３２】
その際、フランジ付きスリーブ１３の円盤状フランジ部１３２裏面側における円環状凸部１３２ｂの外径Ｒ４は、フランジ付きジョイントナット１２の円盤状型枠側フランジ部１２２の外径Ｒ５以下であり、フランジ付きジョイントナット１２の円盤状型枠側フランジ部１２２における露出部分はほぼ平らになるため、上述の特許文献１に記載のキャップとは異なり、図４（ｃ）に示すような正面視ほぼＴ字形状のキャップ６で済む。そのため、キャップ６の構造が単純になり、キャップ６の製造コストも低減できる。
【００３３】
また、キャップ６の蓋部分の外径は、フランジ付きスリーブ１３の円環状凸部１３２ｂの外径Ｒ５と同じ外径であるため、コンクリートの養生後にフランジ付き軸足１１と共にフランジ付きスリーブ１３を取り外し、フランジ付きスリーブ１３の円盤状フランジ部１３２裏面側において円環状凸部１３２ｂの半径Ｒ５の円盤部分が露出しても、同じ外径Ｒ５を有するキャップ６によって栓をすることができるので、キャップ６の蓋部分は全て金属性の円盤状型枠側フランジ部１２２に密接することになり、キャップ６による防水効果を向上させることもできる。
【００３４】
また、この実施形態１の型枠保持具１では、フランジ付きスリーブ１３のスリーブ部１３１は、先端部の内径Ｒ６がフランジ付き軸足１１の軸部１１ａの外径Ｒ１、および円盤状フランジ部１３２との連結部分である基部の内径Ｒ７よりも小にしているため、フランジ付きスリーブ１３のスリーブ部１３１をその基部側からフランジ付き軸足１１に簡単に通すことができると共に、フランジ付きスリーブ１３が勝手に脱落したり、グラつくことを極力防止できる。
【００３５】
実施形態２．
上記実施形態１の型枠保持具１では、六角形状ナット部１２１と、円盤状型枠側フランジ部１２２とからなるフランジ付きジョイントナット１２により説明したが、実施形態２では、図５に示すように、内周にセパ側雌ネジ部１２１ａ’と軸足側雌ネジ部１２１ｂ’が形成された円筒状ナット部１２１’と、その円筒状ナット部１２１’の型枠側端部に設けられ，その外周が六角形状型枠側フランジ部１２２’とからなるフランジ付きジョイントナット１２’を使用したことを特徴とする。なお、フランジ付き軸足１１とフランジ付きスリーブ１３は、上記実施形態１のものと同様である。
【００３６】
そのため、この実施形態２の型枠保持具１’では、図６に示すようにフランジ付き軸足１１とフランジ付きスリーブ１と円筒状ナット部１２１’とを組み合わせて使用すると、図５に示すようにフランジ付きジョイントナット１２’には外周が六角形状型枠側フランジ部１２２’を有し、フランジ付きスリーブ１３の円盤状フランジ部１３２裏面側における円環状凸部１３２ｂの外径Ｒ４をフランジ付きジョイントナット１２’の六角形状型枠側フランジ部１２２’の幅Ｒ５’以下にして、フランジ付きスリーブ１３の円盤状フランジ部１３２裏側の円環状凸部１３２ｂの外側面がフランジ付きジョイントナット１２’の六角形状型枠側フランジ部１２２’の外側面よりも突出しないように構成した。
【００３７】
その結果、実施形態２の型枠保持具１’によっても、実施形態１の型枠保持具１と同様にコンクリートの養生後に型枠板３を取外し、その後、フランジ付き軸足１１を回転させてフランジ付きスリーブ１３と共に取り外す際、フランジ付き軸足１１のセパ側端部に螺合しているフランジ付きジョイントナット１２の供回りを防止できると共に、型枠組立て時に電動工具や型枠緊結工具５等によりこの型枠保持具１を締め過ぎた場合でも、コンクリート養生後におけるコンクリート壁面からのフランジ付きジョイントナット１２’とフランジ付きスリーブ１３の円盤状フランジ部１３２の飛び出しを防止できる。
【００３８】
また、フランジ付きスリーブ１３の円盤状フランジ部１３２裏面側における円環状凸部１３２ｂの外径Ｒ４は、フランジ付きジョイントナット１２’の六角形状型枠側フランジ部１２２’の幅Ｒ５’以下であり、フランジ付き軸足１１およびフランジ付きスリーブ１３の取り外し後におけるフランジ付きジョイントナット１２’の六角形状型枠側フランジ部１２２’における露出部分がほぼ平らになるため、キャップ６による防水効果を向上させることができると共に、キャップ６の構造も単純になり、キャップ６の製造コストも低減できる。
【００３９】
実施形態３．
実施形態３では、図７に示すように、内周にセパ側雌ネジ部１２１ａ”と軸足側雌ネジ部１２１ｂ”が形成された長尺かつ大径の六角形状長尺ナット部１２１”から構成されたフランジ付きジョイントナット１２”を使用したことを特徴とする。なお、フランジ付き軸足１１とフランジ付きスリーブ１３は、上記実施形態１のものと同様である。
【００４０】
そのため、この実施形態３の型枠保持具１”では、図８に示すようにフランジ付き軸足１１とフランジ付きスリーブ１と六角形状長尺ナット部１２１”とを組み合わせて使用すると、図７に示すようにフランジ付きジョイントナット１２”は外周が六角形の六角形状長尺ナット部１２１”から構成し、かつ、フランジ付きスリーブ１３の円盤状フランジ部１３２裏面側における円環状凸部１３２ｂの外径Ｒ４をフランジ付きジョイントナット１２”の六角形状長尺ナット部１２１”の幅Ｒ５”’以下にして、フランジ付きスリーブ１３の円盤状フランジ部１３２裏側の円環状凸部１３２ｂの外側面がフランジ付きジョイントナット１２”の六角形状長尺ナット部１２１”の外側面よりも突出しないように構成した。
【００４１】
その結果、この実施形態３の型枠保持具１”によっても、実施形態１，２の型枠保持具１，１’と同様にコンクリート４の養生後に型枠板３を取外し、その後、フランジ付き軸足１１を回転させてフランジ付きスリーブ１３と共に取り外す際、フランジ付き軸足１１のセパ側端部に螺合しているフランジ付きジョイントナット１２の供回りを防止できると共に、型枠組立て時に電動工具や型枠緊結工具５等によりこの型枠保持具１を締め過ぎた場合でも、コンクリート養生後におけるコンクリート壁面からのフランジ付きジョイントナット１２”とフランジ付きスリーブ１３の円盤状フランジ部１３２の飛び出しを防止できる。
【００４２】
また、フランジ付きスリーブ１３の円盤状フランジ部１３２裏面側における円環状凸部１３２ｂの外径Ｒ４は、フランジ付きジョイントナット１２”の六角形状長尺ナット部１２１”の幅Ｒ５’以下であり、フランジ付き軸足１１およびフランジ付きスリーブ１３の取り外し後におけるフランジ付きジョイントナット１２”の六角形状長尺ナット部１２１”の露出部分がほぼ平らになるため、キャップ６による防水効果を向上させることができると共に、キャップ６の構造も単純になり、キャップ６の製造コストも低減できる。
【００４３】
なお、上記実施形態１〜３の型枠保持具１，１’，１”では、フランジ付きジョイントナット１２，１２’，１２”の外側面の一部、すなわちフランジ付きジョイントナット１２の六角形状ナット部１２１、フランジ付きジョイントナット１２’の六角形状型枠側フランジ部１２２’、フランジ付きジョイントナット１２”の六角形状長尺ナット部１２１”を六角形にして説明したが、本発明では、必ずしも六角形にする必要はなく、四角形や三角形、五角形、八角形等、フランジ付き軸足１１との供回りを防止できる多角形状であれば何でも良い。
【符号の説明】
【００４４】
１，１’，１”  型枠保持具
１１  フランジ付き軸足
１１ａ  軸部
１１ｂ  軸足フランジ部
１２，１２’，１２”  フランジ付きジョイントナット
１２１  六角形状ナット部（六角形状ナット部）
１２２  円盤状型枠側フランジ部
１２１’  円筒状ナット部
１２２’  六角形状型枠側フランジ部（多角形状型枠側フランジ部）
１２１”  六角形状長尺ナット部（多角形状長尺ナット部）
１３  フランジ付きスリーブ
１３１  スリーブ部
１３２  円盤状フランジ部
１３２ａ  凹部
１３２ｂ  円環状凸部
２  丸セパレータ
３  型枠板
４  コンクリート
５  型枠緊結工具
６  キャップ
【図１】
0006041828.tif 000002
【図２】
0006041828.tif 000003
【図３】
0006041828.tif 000004
【図４】
0006041828.tif 000005
【図５】
0006041828.tif 000006
【図６】
0006041828.tif 000007
【図７】
0006041828.tif 000008
【図８】
0006041828.tif 000009